(57)【要約】【課題】簡単な機構で光学センサをクリーニングでき、また、長期間にわたって良好なクリーニング効果が得られる画像形成装置における光学センサの半自動クリーニング機構を提供する。【解決手段】画像形成装置本体１０に対して着脱可能に設けられた消耗部品２０，４２の交換時に開閉されるカバー８２に連動して、装置内部に設けられた光学センサ１１の投光窓および／または受光窓１１ａを摺擦してクリーニングするクリーニング部材７０を設ける。カバー８２が開かれた際に、光学センサ１１の投光窓および／または受光窓１１ａがクリーニング部材７０で覆われる。【選択図】　　　　図１
2004038054.tif 000002
【特許請求の範囲】
【請求項１】
画像形成装置本体に対して着脱可能に設けられた消耗部品の交換時に開閉されるカバーに連動して、装置内部に設けられた光学センサの投光窓および／または受光窓を摺擦してクリーニングするクリーニング部材を有することを特徴とする画像形成装置における光学センサの半自動クリーニング機構。
【請求項２】
前記カバーが開かれた際に、前記光学センサの投光窓および／または受光窓が前記クリーニング部材で覆われることを特徴とする請求項１記載の画像形成装置における光学センサの半自動クリーニング機構。
【発明の詳細な説明】
【０００１】
【発明の属する技術分野】
本発明は、電子写真技術を用いて画像を形成するプリンター、ファクシミリ、複写機等の画像形成装置における光学センサの半自動クリーニング機構に関するものである。
【０００２】
【従来の技術】
一般に、電子写真技術を用いた画像形成装置は、外周面に感光層を有する感光体と、この感光体の外周面を一様に帯電させる帯電手段と、この帯電手段により一様に帯電させられた外周面を選択的に露光して静電潜像を形成する露光手段と、この露光手段により形成された静電潜像に現像剤であるトナーを付与して可視像（トナー像）とする現像手段と、この現像手段により現像されたトナー像を転写対象である用紙等の記録材に転写させる転写手段とを有している。
また、転写手段としては、感光体上に形成されたトナー像が転写（一次転写）され、このトナー像をさらに転写対象である用紙等の記録材に転写（二次転写）する中間転写体を用いたものも知られている。
このような画像形成装置においては、光学センサが用いられている。
例えば、感光体表面あるいは中間転写体表面に形成されたトナー像の濃度を検出するために光学センサが用いられている。
光学センサは、その投光窓あるいは受光窓が汚れると、その性能が適正に発揮されなくなる。画像形成装置が稼働すると、内部に浮遊トナーが発生し、稼働が長期にわたると浮遊トナーが光学センサの投光窓あるいは受光窓に多量に付着して光学センサの性能が著しく劣化してしまう。
したがって、光学センサの投光窓ないし受光窓は、これがトナーでひどく汚れる前にクリーニングする必要がある。
しかしながら、このクリーニング作業をユーザに求めることは望ましくない。ユーザに対してクリーニング作業を求めることは、ユーザに煩雑感を与えるし、光学センサの性能が著しく劣化する前にユーザによってクリーニングがなされるとは限らないからである。
そこで、従来、特公平５−８２５８８号公報に見られるように、光学センサの検出面に作用するクリーニング部材を画像形成装置の作動に同期させて移動させることにより、定期的に（例えば３０〜４０回の画像形成動作につき１回の割合で）、光学センサを自動的にクリーニングするクリーニング装置が提案されている。
【０００３】
【発明が解決しようとする課題】
上述した従来のクリーニング装置では、光学センサの検出面に作用する清掃部材を画像形成装置の作動に同期させて移動させるため機構が必要であり、この機構が複雑であるという問題があった。
また、画像形成装置の作動に同期して頻繁に（例えば３０〜４０回の画像形成動作につき１回の割合で）クリーニング部材で光学センサが自動的にクリーニングされてしまうため、クリーニング部材の劣化が早まってしまい、最終的には良好なクリーニング効果が得られなくなってしまうという問題もあった。
【０００４】
この発明の目的は、以上のような問題を解決し、簡単な機構で光学センサをクリーニングでき、また、長期間にわたって良好なクリーニング効果が得られる画像形成装置における光学センサの半自動クリーニング機構を提供することにある。
【０００５】
【課題を解決するための手段】
上記目的を達成するために請求項１記載の画像形成装置における光学センサの半自動クリーニング機構は、画像形成装置本体に対して着脱可能に設けられた消耗部品の交換時に開閉されるカバーに連動して、装置内部に設けられた光学センサの投光窓および／または受光窓を摺擦してクリーニングするクリーニング部材を有することを特徴とする。
請求項２記載の画像形成装置における光学センサの半自動クリーニング機構は、請求項１記載の画像形成装置における光学センサの半自動クリーニング機構において、前記カバーが開かれた際に、前記光学センサの投光窓および／または受光窓が前記クリーニング部材で覆われることを特徴とする。
【０００６】
【作用効果】
請求項１記載の画像形成装置における光学センサの半自動クリーニング機構は、画像形成装置本体に対して着脱可能に設けられた消耗部品の交換時に開閉されるカバーに連動して、装置内部に設けられた光学センサの投光窓および／または受光窓を摺擦してクリーニングするクリーニング部材を有しているので、この請求項１記載の半自動クリーニング機構によれば、消耗部品の交換時にユーザによりカバーが開閉されることでクリーニング部材が光学センサの投光窓および／または受光窓を摺擦してこれがクリーニングされることとなる。
したがって、ユーザーに対して、特にクリーニング操作を意識させることはなく、カバーが開閉されることで結果的に光学センサのクリーニングがいわば半自動的になされることとなる。
そして、この機構によれば、カバーとクリーニング部材を連動させるだけであるので、簡単な機構とすることができる。
また、消耗部品の交換時にのみクリーニング動作がなされるので、必要以上にクリーニング部材が劣化してしまうということがなくなり、結果として、長期間にわたって良好なクリーニング効果が得られる。
以上のように、この請求項１記載のクリーニング機構によれば、簡単な機構で光学センサをクリーニングでき、また、長期間にわたって良好なクリーニング効果が得られることとなる。
しかも、消耗部品交換直後に画像形成装置の制御部によってなされる初期化設定動作が、クリーニング直後の光学センサによる検出結果に基づいて行われることとなるので、正確な初期化設定がなされることとなるという効果も得られる。請求項２記載の画像形成装置における光学センサの半自動クリーニング機構によれば、請求項１記載の画像形成装置における光学センサの半自動クリーニング機構において、前記カバーが開かれた際に、前記光学センサの投光窓および／または受光窓が前記クリーニング部材で覆われる構成となっているので、さらに次のような作用効果が得られる。
すなわち、消耗部品によっては、その交換時に、装置内においてトナーが舞ってしまうおそれがある。例えば、現像器カートリッジの交換時には、その現像ローラおよびその周辺に付着しているトナーが舞ってしまうおそれがある。
これに対し、この請求項２記載のクリーニング機構によれば、消耗部品の交換のために前記カバーが開かれた際には、光学センサの投光窓および／または受光窓がクリーニング部材で覆われることとなるので、仮に、消耗部品の交換時に、装置内においてトナーが舞ってしまったとしても、そのトナーが光学センサの投光窓および／または受光窓に付着してしまうということがなくなる。
したがって、消耗部品の交換時に光学センサの投光窓および／または受光窓がトナーで汚れてしまうという事態を防止することができる。
【０００７】
【発明の実施の形態】
以下、本発明の実施の形態について図面を参照して説明する。
図１は本発明に係る画像形成装置における光学センサの半自動クリーニング機構の一実施の形態を示す基本構成図であり、（ａ）はカバーが閉じられた状態の図、（ｂ）はカバーが開かれた状態の図である。
【０００８】
図１において、１０は画像形成装置本体であり、この装置本体１０内に、感光体ユニット２０と、現像ユニット４２と、転写ユニット５０とが設けられている。感光体ユニット２０の感光体の外周面を、図１には示していない帯電手段で一様に帯電させた後、図示しない露光ユニットからのレーザー光で選択的に露光して静電潜像を形成し、この静電潜像に現像ユニット４２でトナーを付与して可視像（トナー像）とし、このトナー像を転写ユニット５０の中間転写体に一次転写し、さらに、転写対象である用紙に二次転写させることによって用紙上に画像が形成されるようになっている。
【０００９】
感光体ユニット２０、現像器ユニット４２、転写ユニット５０のうちの少なくとも１つは消耗部品として構成されており、その寿命に達した際には、カバー８２を開け、消耗部品を図（ｂ）における矢印Ｘ１，Ｘ２方向に抜き差しすることによって交換可能である。カバー８２は軸８２ａによって開閉可能に構成されている。
【００１０】
１１は装置本体内に設けられた光学センサである。
この光学センサ１１は、転写ユニット５０の中間転写体上に転写されたトナー像の濃度を検出するためのものであり、正反射型の光学センサである。この光学センサ１１による検出信号が図示しない制御部にフィードバックされることで画質が向上するようになっている。
【００１１】
７０は、光学センサ１１の投光窓（受光窓でもある）１１ａを摺擦してクリーニングするクリーニング部材（例えばウレタンフォーム）であり、そのホルダ７１に固定されている。
ホルダ７１の一側（図において右側）にはロッド７２が連結固定されており、ロッド７２の先端７２ａはカバー８２の回動軌道中に臨んでいる。
ホルダ７１の他側と装置本体１０との間にはバネ（この場合、圧縮バネ）７３が設けられており、このバネ７３の作用によってホルダ７１（したがってクリーニング部材７０およびロッド７２）は図中矢印Ｘ１方向へ常時付勢されているが、図（ａ）に示すようにカバー８２が閉じられた状態では矢印Ｘ２方向へ後退し、クリーニング部材７０も光学センサ１１の投光窓および受光窓１１ａから矢印Ｘ２方向へ後退し、光学センサ１１による中間転写体上のトナー濃度検出が可能な状態となっている。
【００１２】
一方、消耗部品の交換時に、ユーザによって図（ｂ）に示すようにカバー８２が開けられると、バネ７３の付勢力でホルダ７１（したがってクリーニング部材７０およびロッド７２）が図中矢印Ｘ１方向へスライドし、光学センサ１１の投光窓および受光窓１１ａがクリーニング部材７０によって摺擦されてクリーニングされつつクリーニング部材７０で覆われるとともに、ロッド７２の先端７２ａが突出することとなる。
消耗部品の交換がなされた後、ユーザによってカバー８２が閉じられると、図（ｂ）に示す状態から図（ａ）に示すようにロッド７２の先端７２ａがカバー８２と当接してロッド７２（したがってホルダ７１およびクリーニング部材７０）が矢印Ｘ２方向へスライドし、クリーニング部材７０が光学センサ１１の投光窓および受光窓１１ａを再び摺擦してクリーニングしつつ、光学センサ１１による中間転写体上のトナー濃度検出が可能となる位置まで後退することとなる。
なお、必要に応じ、カバー８２を開けた状態で、ロッド７２の先端７２ａを指先で押すことにより、手動で光学センサ１１の投光窓および受光窓１１ａをクリーニングすることもできる。
【００１３】
以上のような画像形成装置における光学センサの半自動クリーニング機構によれば次のような作用効果が得られる。
（ａ）画像形成装置本体１０に対して着脱可能に設けられた消耗部品２０等の交換時に開閉されるカバー８２に連動して、装置内部に設けられた光学センサ１１の投光窓および受光窓１１ａを摺擦してクリーニングするクリーニング部材７０を有しているので、消耗部品２０等の交換時にユーザによりカバー８２が開閉されることでクリーニング部材７０が光学センサ１１の投光窓および／または受光窓１１ａを摺擦してこれがクリーニングされることとなる。
したがって、ユーザーに対して、特にクリーニング操作を意識させることなく、カバーが開閉されることで結果的に光学センサ１１のクリーニングがいわば半自動的になされることとなる。
そして、この機構によれば、カバー８２とクリーニング部材７０を連動させるだけであるので、簡単な機構（上の例ではロッド７２とバネ７３による機構）とすることができる。
また、消耗部品２０等の交換時にのみクリーニング動作がなされるので、必要以上にクリーニング部材７０が劣化してしまうということがなくなり、結果として、長期間にわたって良好なクリーニング効果が得られる。
以上のように、このクリーニング機構によれば、簡単な機構で光学センサをクリーニングでき、また、長期間にわたって良好なクリーニング効果が得られることとなる。
しかも、消耗部品交換直後に画像形成装置の制御部によってなされる初期化設定動作が、クリーニング直後の光学センサ１１による検出結果に基づいて行われることとなるので、正確な初期化設定がなされることとなるという効果も得られる。
（ｂ）カバー８２が開かれた際に、光学センサ１１の投光窓および受光窓１１ａがクリーニング部材７０で覆われる構成となっているので、さらに次のような作用効果が得られる。
すなわち、消耗部品によっては、その交換時に、装置１０内においてトナーが舞ってしまうおそれがある。例えば、現像器ユニット４２（現像器カートリッジ等）の交換時には、その現像ローラおよびその周辺に付着しているトナーが舞ってしまうおそれがある。
これに対し、このクリーニング機構によれば、消耗部品の交換のためにカバー８２が開かれた際には、光学センサ１１の投光窓および受光窓１１ａがクリーニング部材７０で覆われることとなるので、仮に、消耗部品の交換時に、装置１０内においてトナーが舞ってしまったとしても、そのトナーが光学センサ１１の投光窓および受光窓１１ａに付着してしまうということがなくなる。
したがって、消耗部品の交換時に光学センサ１１の投光窓および受光窓１１ａがトナーで汚れてしまうという事態を防止することができる。
【００１４】
以下、上記画像形成装置における光学センサの半自動クリーニング機構のさらなる具体例について、図２〜図６を参照して説明する。なおこれらの図において、図１に示したものと同一部分ないし相当する部分には同じ符号を付してある。
【００１５】
図２は画像形成装置の内部構造を示す概略側面図である。
この画像形成装置は、用紙の両面にフルカラー画像を形成することのできるカラー画像形成装置であり、装置本体１０と、この装置本体１０内に収容された、像担持体ユニット２０と、露光手段としての露光ユニット３０と、現像手段としての現像装置４０と、中間転写体ユニット５０と、定着手段としての定着ユニット（定着器）６０とを備えている。
【００１６】
ケース１０内には装置本体の図示しないフレームが設けられており、このフレームに各ユニット等が取り付けられている。
【００１７】
像担持体ユニット２０は、外周面に感光層を有する感光体（像担持体）２１と、この感光体２１の外周面を一様に帯電させる帯電手段（コロナ帯電器）２２とを有しており、この帯電手段２２により一様に帯電させられた感光体２１の外周面を露光ユニット３０からのレーザー光Ｌで選択的に露光して静電潜像を形成し、この静電潜像に現像装置４０で現像剤であるトナーを付与して可視像（トナー像）とし、このトナー像を中間転写体ユニット５０の中間転写ベルト５１に一次転写部Ｔ１で一次転写し、さらに、二次転写部Ｔ２で、転写対象である用紙に二次転写させるようになっている。
像担持体ユニット２０には、一次転写後に感光体２１の表面に残留しているトナーを除去するクリーニング手段（クリーニングブレード）２３と、このクリーニング手段２３で除去された廃トナーを収容する廃トナー収容部２４が設けられている。
像担持体ユニット２０（したがって感光体２１）は、後述するように装置本体に対して着脱可能に構成されている。
【００１８】
ケース１０内には、上記二次転写部Ｔ２により片面に画像が形成された用紙をケース１０上面の排紙トレイ部１５に向けて搬送する搬送路１６と、この搬送路１６により排紙トレイ部１５に向けて搬送された用紙をスイッチバックさせて他面にも画像を形成すべく前記二次転写部Ｔ２に向けて返送する返送路１７とが設けられている。
ケース１０の下部には、複数枚の用紙を積層保持する給紙トレイ１８と、その用紙を一枚ずつ上記二次転写部Ｔ２に向けて給送する給紙ローラ１９とが設けられている。
【００１９】
現像装置４０は現像器移動型であるロータリ現像装置であり、図示しない駆動機構により回転駆動される回転体本体４１に対して、それぞれトナーが収容された複数の現像器カートリッジ（現像器ユニット）４２が着脱可能に装着されている。この実施の形態では、イエロー用の現像器カートリッジ４２Ｙと、マゼンタ用の現像器カートリッジ４２Ｍと、シアン用の現像器カートリッジ４２Ｃと、ブラック用の現像器カートリッジ４２Ｋとが設けられていて、回転体本体４１が矢印ａ方向に９０度ピッチで回転することによって、感光体２１に現像ローラ４３を選択的に当接させ、感光体２１の表面を選択的に現像することが可能となっている。
【００２０】
露光ユニット３０は、板ガラス等で構成された露光窓３１から上記レーザー光Ｌを感光体２１に向けて照射するようになっている。
【００２１】
中間転写体ユニット５０は、ユニットフレーム５０ａ（図３参照）と、このフレームで回転可能に支持された駆動ローラ５４，従動ローラ５５，一次転写ローラ５６、一次転写部Ｔ１でのベルト５１の状態を安定させるためのガイドローラ５７，およびテンションローラ５８と、これらローラに掛け回されて張架された前記中間転写ベルト５１とを備えており、ベルト５１が図示矢印方向に循環駆動される。感光体２１と一次転写ローラ５６との間において前記一次転写部Ｔ１が形成されており、駆動ローラ５４と本体側に設けられた二次転写ローラ１０ｂとの圧接部において前記二次転写部Ｔ２が形成される。
二次転写ローラ１０ｂは、前記駆動ローラ５４に対して（したがって中間転写ベルト５１に対して）接離可能であり、接触した際に二次転写部Ｔ２が形成される。
【００２２】
したがって、カラー画像を形成する際には、二次転写ローラ１０ｂが中間転写ベルト５１から離間している状態で中間転写ベルト５１上において複数色のトナー像が重ね合わされてカラー画像が形成され、その後、二次転写ローラ１０ｂが中間転写ベルト５１に当接し、その当接部（二次転写部Ｔ２）に用紙が供給されることによって用紙上にカラー画像（トナー像）が転写されることとなる。
トナー像が転写された用紙は、定着ユニット６０の加熱ローラ対６１を通ることでトナー像が溶融定着され、上記排紙トレイ部１５に向けて排出される。
【００２３】
図３は中間転写体ユニット５０を示す斜視図である。
同図に示すように、この画像形成装置では、中間転写体ユニット５０に対してクリーニング部材７０および、そのカバー８２との連動機構７０’を組み込んである。
したがって、バネ７３はホルダ７１とユニットフレーム５０ａとの間に設けられている。
また、図４にも示すように、ロッド７２の先端７２ｂをレバー７４に連結してある。レバー７４は、軸７４ａ（図３参照）でユニットフレーム５０ａに対して回動可能に取り付けられている。
図５，図６はそれぞれ画像形成装置の外観斜視図である。
これらの図に示すように、装置本体１０には、像担持体ユニット２０の着脱時に開閉される像担持体用カバー８１と、この像担持体用カバー８１が開かれた際に露出し、現像カートリッジ４２の着脱時に開閉される現像カートリッジ用カバー８２と、同じく像担持体用カバー８１が開かれた際に露出する、交換カートリッジ選択スイッチ８３とが設けられている。
【００２４】
図６に示すように、像担持体用カバー８１を開くと像担持体ユニット２０の手前側が露出するので、その取っ手２０ａを持って像担持体ユニット２０を抜き差しすることで像担持体ユニット２０を装置本体１０に対して着脱することができる。なお、８４は像担持体ユニット２０のロックレバーであり、このロックレバーを矢印ｂ方向へ回動させてロックを解除した状態で像担持体ユニット２０を抜き差しする。
【００２５】
また、図６に示すように、像担持体用カバー８１を開いた状態でさらに現像カートリッジ用カバー８２を開くと、装置本体１０に設けられた、現像カートリッジ交換用の穴１０ｃおよび現像カートリッジ４２の手前側が露出するので、その取っ手４２ａを持って現像カートリッジ４２を抜き差しすることで現像カートリッジ４２を装置本体１０（現像装置４０の回転体本体４１）に対して着脱することができる。
【００２６】
交換カートリッジ選択スイッチ８３は、交換する現像カートリッジ４２（Ｙ，Ｍ，Ｃ，Ｋのうちのいずれか）を選択するためのスイッチであり、イエローの現像器カートリッジ４２Ｙを選択するためのスイッチボタンＹと、マゼンタ用の現像器カートリッジ４２Ｍを選択するためのスイッチボタンＭと、シアン用の現像器カートリッジ４２Ｃを選択するためのスイッチボタンＣと、ブラック用の現像器カートリッジ４２Ｋを選択するためのスイッチボタンＫとを有している。
現像カートリッジ用カバー８２を閉じた状態で、スイッチボタンＹを押すと回転体本体４１が回転してイエローの現像器カートリッジ４２Ｙのみが前記交換用穴１０ｃに臨み、スイッチボタンＭを押すと同様にしてマゼンタ用の現像器カートリッジ４２Ｍのみが交換用穴１０ｃに臨み、スイッチボタンＣを押すと同様にしてシアン用の現像器カートリッジ４２Ｃのみが交換用穴１０ｃに臨み、スイッチボタンＫを押すと同様にしてブラック用の現像器カートリッジ４２Ｋのみが交換用穴１０ｃに臨むようになっている。
したがって、実際に現像カートリッジ４２を交換する際には、先ず像担持体用カバー８１を開け、現像カートリッジ用カバー８２を閉じた状態で、交換しようとする色用のスイッチボタン（Ｙ，Ｍ，Ｃ，Ｋのうちのいずれか）を押し、その後、現像カートリッジ用カバー８２を開いてその色の現像カートリッジ４２を交換する。
なお、この現像カートリッジ４２内には、通常の画像形成状態で数万枚程度の画像形成が可能なだけのトナーが収容されている。
【００２７】
図６に示すように、カバー８２を開いたその開口には、前述したレバー７４の突部７４ｂが臨んでいる。
一方、カバー８２の内側には、レバー７４の突部７４ｂと当接する突部８２ｂが設けられており、カバー８２が閉じられると、その突部８２ｂがレバー７４の突部７４ｂに当接してレバー７４を図４においてＸ２方向へ回動させる。
したがって、図５に示すようにカバー８２が閉じられると、ロッド７２、ホルダ７１およびクリーニング部材７０が図３および図４において矢印Ｘ２方向へスライドし、クリーニング部材７０が光学センサ１１の投光窓および受光窓１１ａを摺擦してクリーニングしつつ、光学センサ１１による中間転写体５１上のトナー濃度検出が可能となる位置まで後退することとなる。
なお、カバー８２の突部８５ｂは、カバー８２が閉じられた際のロック手段も構成している。
【００２８】
一方、現像カートリッジ４２の交換時に、ユーザによって図６に示すようにカバー８２が開けられると、バネ７３の付勢力でホルダ７１（したがってクリーニング部材７０、ロッド７２、およびレバー７４）が図３，図４において矢印Ｘ１方向へスライドし、光学センサ１１の投光窓および受光窓１１ａがクリーニング部材７０によって摺擦されてクリーニングされつつクリーニング部材７０で覆われるとともに、レバー７４が矢印Ｘ１方向へ回動してその突部７４ｂが前記開口に突出することとなる。
消耗部品の交換がなされた後、ユーザによってカバー８２が閉じられると、上述したようにレバー７４の突部７４ｂがカバー８２の突部８２ｂと当接してレバー７４（したがってロッド７２、ホルダ７１、およびクリーニング部材７０）が矢印Ｘ２方向へスライドし、クリーニング部材７０が光学センサ１１の投光窓および受光窓１１ａを再び摺擦してクリーニングしつつ、光学センサ１１による中間転写体５１上のトナー濃度検出が可能となる位置（図４参照）まで後退することとなる。
【００２９】
したがって、以上のような画像形成装置における光学センサの半自動クリーニング機構によっても前述した（ａ）（ｂ）の作用効果が得られる。
なお、必要に応じ、カバー８２を開けた状態で、レバー７４の突部７４ｂを指先で押すことにより、手動で光学センサ１１の投光窓および受光窓１１ａをクリーニングすることもできる。
【００３０】
以上、本発明の実施の形態について説明したが、本発明は上記の実施の形態に限定されるものではなく、本発明の要旨の範囲内において適宜変形実施可能である。
例えば、上記の実施の形態では反射型の光学センサ１１を用いたので、クリーニング部材７０は光学センサ１１の投光窓および受光窓１１ａを摺擦する構成としたが、光学センサ（トナー濃度検出センサとは限らない）が透過型のセンサである場合には、投光窓または受光窓の一方（トナー等で汚れやすい方）を摺擦する構成とすることもできる。
【００３１】
【発明の効果】
請求項１、２記載のいずれの画像形成装置における光学センサの半自動クリーニング機構によっても、簡単な機構で光学センサをクリーニングでき、また、長期間にわたって良好なクリーニング効果が得られることとなる。
しかも、正確な初期化設定がなされることとなるという効果も得られる。
さらに、請求項２記載の画像形成装置における光学センサの半自動クリーニング機構によれば、仮に、消耗部品の交換時に、装置内においてトナーが舞ってしまったとしても、そのトナーが光学センサの投光窓および／または受光窓に付着してしまうということがなくなる。
したがって、消耗部品の交換時に光学センサの投光窓および／または受光窓がトナーで汚れてしまうという事態を防止することができる。
【００３２】
【図面の簡単な説明】
【図１】本発明に係る画像形成装置における光学センサの半自動クリーニング機構の一実施の形態を示す基本構成図であり、（ａ）はカバーが閉じられた状態の図、（ｂ）はカバーが開かれた状態の図である。
【図２】画像形成装置の具体的内部構造を示す概略側面図。
【図３】中間転写体ユニット５０を示す斜視図。
【図４】光学センサの半自動クリーニング機構の一例を示す斜視図。
【図５】画像形成装置の外観斜視図。
【図６】カバーが開けられた画像形成装置の外観斜視図。
【符号の説明】
１０　　画像形成装置本体
１１　　光学センサ
１１ａ　投光窓および受光窓
２０　　像担持体ユニット（消耗部品）
４２　　現像カートリッジ（消耗部品）
７０　　クリーニング部材
８２　　カバー
【図１】
2004038054.tif 000003
【図２】
2004038054.tif 000004
【図３】
2004038054.tif 000005
【図４】
2004038054.tif 000006
【図５】
2004038054.tif 000007
【図６】
2004038054.tif 000008